(57)【特許請求の範囲】
【請求項１】
建物の屋根に配設した雨水を集水するための集水具と、
前記集水具で集水した雨水を冷却して貯留するために地中に埋設した貯留タンクと、
前記建物の屋根に向けて散水するための散水具と、
前記貯留タンクと前記散水具との間に介設したポンプと、
前記ポンプを駆動するための蓄電池と、
前記蓄電池に接続した太陽発電パネルと
から構成した雨水利用システムにおいて、
前記散水具は、散水管の基端部に前記貯留タンクを前記ポンプを介して連通連結し、散水管の先端部に屋根に設けた菜園に向けて散水するための散水ノズルを形成し、散水管の中途部に屋根に向けて散水するための散水ノズルを形成するとともに、散水管の基端部に太陽発電パネルに向けて散水するための散水ノズルを形成し、屋根の表面の屋根温度と貯留タンクの内部の雨水温度とが所定温度差以上となった場合に貯留タンクに貯留された雨水を散水するようにしたことを特徴とする雨水利用システム。
【発明の詳細な説明】
【技術分野】
【０００１】
本発明は、雨水を有効利用するための雨水利用システムに関するものである。
【背景技術】
【０００２】
近年、化石エネルギーの大量消費に伴って炭酸ガスの排出量が大幅に増大し、地球温暖化や環境破壊が社会問題となっている。そのため、環境にやさしいシステム作りが要求されており、その一つとして自然エネルギーを有効に利用したシステムが注目されている。
【０００３】
たとえば、太陽光や雨水といった自然現象から生じる自然エネルギーを有効したシステムとしては、特許文献１に開示されているように、雨水を貯留した貯留タンクを建物内の水道設備にポンプを介して接続し、太陽発電でポンプを駆動して、貯留した雨水を建物内で有効に利用するように構成したものが知られている。
【０００４】
【特許文献１】特開平９−２４２１３０号公報
【発明の開示】
【発明が解決しようとする課題】
【０００５】
ところが、建物内においては、水道設備よりも冷房設備によって消費されるエネルギーのほうが大量であり、地球温暖化への影響が強いため、上記従来の雨水利用システムでは自然エネルギーの十分な利用とまではいえないものであった。
【課題を解決するための手段】
【０００６】
そこで、請求項１に係る本発明では、雨水を有効利用するための雨水利用システムにおいて、建物の屋根に配設した雨水を集水するための集水具と、前記集水具で集水した雨水を冷却して貯留するために地中に埋設した貯留タンクと、前記建物の屋根に向けて散水するための散水具と、前記貯留タンクと前記散水具との間に介設したポンプと、前記ポンプを駆動するための蓄電池と、前記蓄電池に接続した太陽発電パネルとから構成し、前記散水具は、散水管の基端部に前記貯留タンクを前記ポンプを介して連通連結し、散水管の先端部に屋根に設けた菜園に向けて散水するための散水ノズルを形成し、散水管の中途部に屋根に向けて散水するための散水ノズルを形成するとともに、散水管の基端部に太陽発電パネルに向けて散水するための散水ノズルを形成し、屋根の表面の屋根温度と貯留タンクの内部の雨水温度とが所定温度差以上となった場合に貯留タンクに貯留された雨水を散水するようにした。
【発明の効果】
【０００９】
そして、本発明では、以下に記載する効果を奏する。
【００１０】
すなわち、請求項１に係る本発明では、冷却して貯留した雨水を散水具で建物の屋根に向けて散水することで、建物の外壁温度を低下させることができ、これにより、建物の内部温度をも低下させることができ、冷房設備によるエネルギー消費を低減することができる。
【００１１】
しかも、請求項１に係る本発明では、散水具の散水管の中途部に屋根に向けて散水するための散水ノズルを形成するとともに、散水管の基端部に太陽発電パネルに向けて散水するための散水ノズルを形成して、散水具から屋根や太陽発電パネルに向けて散水することができる。
【００１２】
また、請求項１に係る本発明では、散水管の先端部に菜園に向けて散水するための散水ノズルを形成して、散水具から屋根や太陽発電パネルや菜園に向けて散水することができる。
【００１３】
さらに、請求項１に係る本発明では、屋根の表面の屋根温度と貯留タンクの内部の雨水温度とが所定温度差以上となった場合に貯留タンクに貯留された雨水を散水するようにしているために、限られた雨水をより一層有効利用して建物を冷却することができる。
【発明を実施するための最良の形態】
【００１４】
以下に、本発明に係る雨水利用システムの具体的な構成を図面を参照しながら説明する。
【００１５】
図１に示すように、本発明に係る雨水利用システム１では、建物２の屋根３の前端側に雨水を集水するための集水具４を配設している。
【００１６】
この集水具４は、屋根３の前端縁に雨樋５を取付け、雨樋５の左端に集水管６の始端部を連通連結しており、この集水管６の終端部を地中に埋設した貯留タンク７に連通連結している。
【００１７】
また、雨水利用システム１では、建物２の屋根３の後端側に屋根３に向けて散水するための散水具８を配設している。
【００１８】
この散水具８は、屋根３の後端縁と右端にＬ字状の散水管９を配管しており、屋根３に設けた菜園10に向けて散水するための散水ノズル11を散水管９の先端部に形成するとともに、屋根３に向けて散水するための散水ノズル12を散水管９の中途部に形成し、さらには、屋根３に取付けた太陽発電パネル13に向けて散水するための散水ノズル14を散水管９の基端部に形成している。この散水具８は、散水管９の基端部に貯留タンク７をポンプ15を介して連通連結している。
【００１９】
このように、雨水利用システム１では、建物２の屋根３に集水具４と散水具８とをそれぞれ配設するとともに、集水具４に貯留タンク７を接続し、貯留タンク７にポンプ15を接続し、ポンプ15に散水具８を接続している。
【００２０】
これにより、雨水利用システム１では、集水具４で雨水を集水し、その雨水を地中に埋設した貯留タンク７で冷却しながら貯留しておき、ポンプ15を駆動することによって、散水具８から屋根３及び屋根３に設けた菜園10や太陽発電パネル13に向けて散水するようにしている。
【００２１】
特に、上記雨水利用システム１では、集水具４の雨樋５と散水具８の散水ノズル12とを屋根３の前後端に対向させて配置して、散水具８の散水ノズル12から散水された雨水を集水具４の雨樋５で再び集水できるようにしており、これにより、雨水を循環して利用できるようにしている。
【００２２】
また、雨水利用システム１では、屋根３に太陽発電パネル13を設置するとともに、太陽発電パネル13に蓄電池16を接続しており、この蓄電池16をコントローラ17を介してポンプ15に接続している。
【００２３】
これにより、雨水利用システム１では、太陽発電パネル13で太陽光エネルギーを電気エネルギーに変換して蓄電池16に蓄電し、必要に応じてコントローラ17を介して蓄電池16からポンプ15に電気エネルギーを供給してポンプ15を駆動するようにしている。
【００２４】
さらに、雨水利用システム１では、屋根３の表面に温度センサー18を取付けるとともに、貯留タンク７の内部に温度センサー19を取付け、これらの温度センサー18,19をコントローラ17に接続している。
【００２５】
そして、雨水利用システム１では、コントローラ17が温度センサー18,19を用いて屋根３の表面の屋根温度と貯留タンク７の内部の雨水温度とを検出し、屋根温度が雨水温度よりも所定温度以上高くなって屋根温度と雨水温度とが所定温度差以上となった場合には、コントローラ17が蓄電池16とポンプ15とを接続してポンプ15を駆動し、貯留タンク７に貯留された雨水を散水具８を用いて散水するようにしている。
【００２６】
なお、雨水利用システム１では、屋根温度と雨水温度とが所定温度差以上となった場合に限られず、屋根温度が所定温度以上となった場合、雨水温度が所定温度以下となった場合、室内温度が所定温度以上となった場合、室内温度と雨水温度とが所定温度差以上となった場合などに散水するようにしてもよい。
【００２７】
また、雨水利用システム１では、建物２の内部や外部に消化設備を配設し、この消化設備をポンプ15に接続して、ポンプ15を駆動することによって消火設備から消化のための放水を行えるようにすることもできる。これにより、建物２の内外での火災に備えることができる。
【００２８】
以上に説明したように、上記構成の雨水利用システム１では、自然エネルギーだけを用いて雨水を冷却しながら貯留するとともに建物２の屋根３に向けて散水するようにしている。
【００２９】
そのため、上記雨水利用システム１では、散水によって建物２の屋根３や側壁などの外壁温度を低下させることができ、これにより、建物２の内部温度をも低下させることができ、冷房設備によるエネルギー消費を低減することができる。
【００３０】
しかも、上記雨水利用システム１では、集水具４と散水具８とを建物２の屋根３に配設しているために、散水具８で散水した雨水を集水具４で集水することができ、これにより、雨水を循環して利用することができ、夏場の少雨時期でも雨水利用システム１を稼動して建物２を冷却することができる。
【００３１】
また、上記雨水利用システム１では、太陽発電パネル13を建物２の屋根３に配設するとともに、太陽発電パネル13の表面に向けて散水具８の散水ノズル14から雨水を散水するようにしているために、太陽発電パネル13の表面を散水具８から散水した雨水で洗浄することができるので、太陽発電パネル13の清掃作業を軽減することができるとともに、表面が汚れることに起因する太陽発電パネル13での発電効率の低下を防止することができる。
【００３２】
さらに、上記雨水利用システム１では、建物２の屋根３と貯留タンク７に温度センサー18,19をそれぞれ配設し、両温度センサー18,19で検出された温度が所定温度差以上となった場合にポンプ15を駆動するようにしているために、限られた雨水をより一層有効利用して建物２を冷却することができる。
【図面の簡単な説明】
【００３３】
【図１】本発明に係る雨水利用システムを模式的に示す説明図。
【符号の説明】
【００３４】
１  雨水利用システム                    ２  建物
３  屋根                                ４  集水具
５  雨樋                                ６  集水管
７  貯留タンク                          ８  散水具
９  散水管                              10  菜園
11  散水ノズル                          12  散水ノズル
13  太陽発電パネル                      14  散水ノズル
15  ポンプ                              16  蓄電池
17  コントローラ                        18  温度センサー
19  温度センサー
【図１】
0004185144.tif 000002